(57)【要約】【課題】新規の計測機器で計測したバイタルデータを簡易に登録できるようにすること。【解決手段】中継器２は、新たな計測機器からペアリング要求を受信した場合に、サーバ１に登録済みの計測機器で計測した第１のバイタルデータと、新たな計測機器で計測した第２のバイタルデータとを要求するデータ要求部２０１と、第１のバイタルデータと第２のバイタルデータとを合わせてサーバに中継するデータ中継部２０２とを有する。サーバ１は、第１のバイタルデータに対応する機器情報に基づいてユーザを特定するユーザ特定部１０１と、ユーザ特定手段で特定されたユーザの情報に第２のバイタルデータに対応する機器情報を対応付けて登録するデータ登録部１０２とを有する。【選択図】図１
2014215709.tif 000002
【特許請求の範囲】
【請求項１】
計測機器で計測したユーザのバイタルデータを機器情報と共に近距離無線通信により受信する中継器と、前記中継器を介して受信したバイタルデータを前記ユーザ毎に前記機器情報に対応付けて管理するサーバとを備えるシステムであって、
前記中継器は、
新たな計測機器からペアリング要求を受信した場合に、前記サーバに登録済みの計測機器で計測した第１のバイタルデータと、前記新たな計測機器で計測した第２のバイタルデータとを要求するデータ要求手段と、
前記第１のバイタルデータと前記第２のバイタルデータとを合わせて前記サーバに中継するデータ中継手段と
を具備し、
前記サーバは、
前記第１のバイタルデータに対応する機器情報に基づいて前記ユーザを特定するユーザ特定手段と、
前記ユーザ特定手段で特定されたユーザの情報に前記第２のバイタルデータに対応する機器情報を対応付けて登録するデータ登録手段と
を具備することを特徴とする健康情報管理システム。
【請求項２】
計測機器で計測したユーザのバイタルデータを機器情報と共に近距離無線通信により受信する中継器と、前記中継器を介して受信したバイタルデータを前記ユーザ毎に前記機器情報に対応付けて管理するサーバとを備えるシステムに用いられるデータ登録方法であって、
前記中継器において、
新たな計測機器からペアリング要求を受信した場合に、前記サーバに登録済みの計測機器で計測した第１のバイタルデータと、前記新たな計測機器で計測した第２のバイタルデータとを要求するデータ要求ステップと、
前記第１のバイタルデータと前記第２のバイタルデータとを合わせて前記サーバに中継するデータ中継ステップと
を有し、
前記サーバにおいて、
前記第１のバイタルデータに対応する機器情報に基づいて前記ユーザを特定するユーザ特定ステップと、
前記ユーザ特定ステップで特定されたユーザの情報に前記第２のバイタルデータに対応する機器情報を対応付けて登録するデータ登録ステップと
を有することを特徴とするデータ登録方法。
【発明の詳細な説明】
【技術分野】
【０００１】
この発明は、個人の健康情報を収集し一元管理する健康情報管理システム及びデータ登録方法に関する。
【背景技術】
【０００２】
ＰＨＲ（Personal Health Record）システムは、個人の健康情報を収集して一元管理し、個人が自らの健康情報を健康維持や疾病予防等に活用できるようにする。健康情報としては、例えば、歩数計や体重計等の計測機器で計測されるバイタルデータ、検診機関の検診データ、医療機関の検査データ等が含まれる。
【０００３】
従来の技術では、個人のバイタルデータをサーバで一元管理するために、サーバ側で利用する機器を都度登録する手法が利用されている。本手法では、利用者が機器を購入するたびにＰＣ経由でサーバにアクセスし登録する必要があるため、利用登録の手間がかかる。また、購入機器毎にそのような登録を利用者に求めることは、利用を阻むだけでなく、利用者の健康管理意識を損なうことにもつながりかねない。
【０００４】
そこで、利用機器をサーバには登録せずに、スマートフォン等の中継器上のアプリケーションに登録しておき、このアプリケーションからサーバにログインし、ログイン状態で計測したデータはすべてログインした人のデータとして登録する方法がある（例えば、非特許文献１を参照）。
【先行技術文献】
【非特許文献】
【０００５】
【非特許文献１】NTT Resonant Inc.，“gooからだログ−ダイエット＆健康管理サービス”，［online］，インターネット〈URL：http://karada.goo.ne.jp/〉
【発明の概要】
【発明が解決しようとする課題】
【０００６】
上述したように、購入した機器を健康管理サービスで利用する際に必要な手続きをするのが煩雑であり、そのため利用促進が進まないという課題がある。また、非特許文献１の方法では、計測のたびに、中継器上のアプリケーションからログインする手間がかかり、かつ利用者と利用機器とを紐付けていないため、例えば、風呂場で体重を計測し、データを自動登録するような利用シーンにおいては、ログインしてからお風呂に入る必要があり、このような利用シーンでは適さない。
【０００７】
この発明は上記事情に着目してなされたもので、その目的とするところは、新規の計測機器で計測したバイタルデータを簡易に登録できる健康情報管理システム及びデータ登録方法を提供することにある。
【課題を解決するための手段】
【０００８】
上記目的を達成するためにこの発明の一態様は、計測機器で計測したユーザのバイタルデータを機器情報と共に近距離無線通信により受信する中継器と、前記中継器を介して受信したバイタルデータを前記ユーザ毎に前記機器情報に対応付けて管理するサーバとを備えるシステムであって、前記中継器は、新たな計測機器からペアリング要求を受信した場合に、前記サーバに登録済みの計測機器で計測した第１のバイタルデータと、前記新たな計測機器で計測した第２のバイタルデータとを要求するデータ要求手段と、前記第１のバイタルデータと前記第２のバイタルデータとを合わせて前記サーバに中継するデータ中継手段とを具備し、前記サーバは、前記第１のバイタルデータに対応する機器情報に基づいて前記ユーザを特定するユーザ特定手段と、前記ユーザ特定手段で特定されたユーザの情報に前記第２のバイタルデータに対応する機器情報を対応付けて登録するデータ登録手段とを具備することを特徴とする健康情報管理システムと、これに対応するデータ登録方法を提供する。
【０００９】
上記態様によれば、利用者がすでに利用登録を済ませている状況において新たな機器登録をする際に、既に登録されている機器の情報を利用することで新たな機器の利用登録を簡易化することが可能となる。
【発明の効果】
【００１０】
すなわちこの発明によれば、新規の計測機器で計測したバイタルデータを簡易に登録できる健康情報管理システム及びデータ登録方法を提供することができる。
【図面の簡単な説明】
【００１１】
【図１】本発明の一実施形態に係る健康情報管理システムを示す図。
【図２】実施例１に係るデータ登録動作を示すシーケンス図。
【図３】実施例２に係るデータ登録動作を示すシーケンス図。
【発明を実施するための形態】
【００１２】
以下、図面を参照してこの発明に係る実施形態を説明する。  
図１は、本発明の一実施形態に係る健康情報管理システムを示す図である。  
この健康情報管理システムは、サーバ１と、中継器２と、計測機器３とを有する。計測機器３と中継器２との間で近距離無線通信のペアリングを行うことで、中継器２を介して計測機器３で計測したバイタルデータをサーバ１に登録することができる。
【００１３】
計測機器３は、歩数計や体重計等の計測機器で構成され、基本的な計測機能のほか、Ｂｌｕｅｔｏｏｔｈ（登録商標）通信等により中継器２と無線接続可能な無線通信モジュールを有する。計測機器３は、この無線接続を利用して、計測したバイタルデータを機器情報と共に中継器２に送信する。機器情報は、計測機器３を一意に識別可能に付与される機器ＩＤを含む。機器ＩＤは、例えば、ＩＥＥＥから発行される各社を識別するＩＤに各社が個体番号を追加する形で定義される。また、体重計のように複数の利用者で共用する場合において、ボタンで利用者を切り替えたり、利用者の体重で各利用者を特定することができるような機器では、ボタン等にそれぞれ付与される利用者を識別するためのＩＤを利用することができる。
【００１４】
中継器２は、計測機器３とＢｌｕｅｔｏｏｔｈ通信機能等で無線接続可能な無線通信モジュールを有するスマートフォン等で構成され、例えば、マスタとして動作することで無線エリア内に存在する最大７台までの機器をスレーブとして無線接続することができる。
また、中継器２は、中継アプリケーション２００を有し、計測機器３で計測したバイタルデータを無線通信により簡単にサーバ１に登録する。
【００１５】
中継アプリケーション２００は、データ要求部２０１と、データ中継部２０２と、近距離無線通信によりペアリングされた計測機器を登録するペアリング管理テーブル２０３とを有する。ペアリング管理テーブル２０３は、中継器２に予め具備される機能を利用してもよく、Ｂｌｕｅｔｏｏｔｈアドレス、機器名称、型番、および機器ＩＤ等を含む。例えば、Ｂｌｕｅｔｏｏｔｈアドレスを“00137102F1A3”、機器名称を“血圧計”、型番を“ｘｘ−ZZZYYY”、および機器ＩＤを“005”のように設定することができる。データ要求部２０１は、ペアリング管理テーブル２０３を参照して、新たな計測機器からペアリング要求を受信した場合に、登録済みの計測機器で計測した第１のバイタルデータと、新たな計測機器で計測した第２のバイタルデータとを要求する。データ中継部２０２は、第１のバイタルデータと第２のバイタルデータとを合わせてサーバ１に中継する。
【００１６】
サーバ１は、計測機器３で計測したバイタルデータを機器情報と共に中継器２を介して受信し、ユーザ毎に機器情報に対応付けてデータベース（図示省略）に登録して管理する。また、サーバは、ユーザ特定部１０１と、データ登録部１０２と、ユーザの情報に対応付けて計測機器の機器情報を登録する機器管理テーブル１０３とを有する。ユーザ特定部１０１は、機器管理テーブル１０３を参照して、第１のバイタルデータに対応する機器情報に基づいてユーザを特定する。データ登録部１０２は、ユーザ特定部１０１で特定されたユーザの情報に第２のバイタルデータに対応する機器情報を対応付けて機器管理テーブル１０３に登録する。
【００１７】
次に、このように構成された健康情報管理システムにおけるデータ登録動作について、以下の実施例に従って説明する。ここでは、中継器２はスマートフォン（スマホ）で構成され、中継アプリケーション（中継ＡＰ）２００は、ペアリング機器をペアリング管理テーブル２０３で管理しているものとする。
【００１８】
［実施例１］  
図２は、実施例１に係るデータ登録動作を示すシーケンス図である。
先ず、計測機器（歩数計）３−１の登録を実施する。歩数計３−１から中継器２にペアリング実施要求を送信すると（ステップＳ１ａ）、歩数３−１と中継器２との間でペアリング処理が行われる（ステップＳ１ｂ）。中継器２は、利用する歩数計３−１をサーバ１に登録すると（ステップＳ１ｃ）、登録に必要な情報入力画面を中継器２に提示する（ステップＳ１ｄ）。利用者Ａは、登録に必要な情報を入力し、登録を行う（ステップＳ１ｅ）。中継器２は、利用情報をサーバ１に登録し（ステップＳ１ｆ）、サーバ１から登録完了通知を受信する（ステップＳ１ｇ）。利用者Ａが利用する歩数計３−１の情報（機器ＩＤなど）が機器管理テーブル１０３に登録される。例えば、機器管理テーブル１０３には、利用者として“利用者Ａ”、歩数計ＩＤとして“００１”が登録される。
【００１９】
歩数計３−１の登録後、利用者Ａは、体重計を購入し、新たに計測機器（体重計）３−２の登録を行うものとする。体重計３−２から中継器２にペアリング実施要求を送信すると（ステップＳ１ｈ）、体重計３−２と中継器２との間でペアリング処理が行われる（ステップＳ１ｉ）。
【００２０】
中継器２の中継ＡＰ２００が、新しい計測機器を検知すると、歩数計３−１のデータを登録を要求する歩数要求画面を表示する（ステップＳ１ｊ）。利用者Ａが上記画面で送信ボタンを押下すると（ステップＳ１ｋ）、歩数データを中継器２へ送信する（ステップＳ１ｌ）。なお、スマホ自体が歩数計３−１となっている場合はステップＳ１ｊ〜Ｓ１ｌのシーケンスは省略可能である。
【００２１】
その後、中継器２の中継ＡＰ２００は、体重データ登録要求画面を表示する（ステップＳ１ｍ）。利用者Ａが体重計３−２にのると（ステップＳ１ｎ）、体重データが計測され、体重計３−２は体重データを中継器２に送信する（ステップＳ１ｏ）。
中継ＡＰ２００は、歩数データと体重データを合わせてサーバ１に送信する（ステップＳ１ｐ）。登録ＡＰ１００は、データを解析し、歩数データと体重データが混在していること及び歩数データの利用者を特定するための機器情報が既に利用者Ａの情報として登録されているが、体重データの利用者を特定するために利用する機器情報は特定の利用者に登録されていないことから、利用者登録メッセージと判断する。利用者Ａの歩数データが登録されていることから、登録されていない体重計３−２の情報（機器ＩＤなど）を機器管理テーブル１０３に追加する。機器管理テーブル１０３には、利用者として“利用者Ａ”、歩数計ＩＤとして“００１”及び体重計ＩＤとして“００５”が登録される。サーバ１は、この登録結果を中継器２に送信する（ステップＳ１ｑ）。
【００２２】
［実施例２］  
図３は、実施例２に係るデータ登録動作を示すシーケンス図である。実施例２では、実施例１に引き続き、さらに血圧計を購入し、新たに計測機器（血圧計）３−３を登録する場合について説明する。
血圧計３−３から中継器２にペアリング実施要求を送信すると（ステップＳ２ａ）、血圧計３−３と中継器２との間でペアリング処理が行われる（ステップＳ２ｂ）。
【００２３】
中継器２の中継ＡＰ２００が、新しい計測機器を検知すると、歩数計３−１のデータを登録を要求する歩数要求画面を表示する（ステップＳ２ｃ）。利用者Ａが上記画面で送信ボタンを押下すると（ステップＳ２ｄ）、歩数データを中継器２へ送信する（ステップＳ２ｅ）。
【００２４】
その後、中継器２の中継ＡＰ２００は、血圧データ登録要求画面を表示する（ステップＳ２ｆ）。利用者Ａが血圧を測ると（ステップＳ２ｇ）、血圧データが計測され、血圧計３−３は血圧データを中継器２に送信する（ステップＳ２ｈ）。
中継ＡＰ２００は、歩数データと血圧データを合わせてサーバ１に送信する（ステップＳ２ｉ）。登録ＡＰ１００は、データを解析し、歩数データと体重データが混在していること及び歩数データの利用者を特定するための機器情報が既に利用者Ａの情報として登録されているが、体重データの利用者を特定するために利用する機器情報は特定の利用者に登録されていないことから、利用者登録メッセージと判断する。利用者Ａの歩数データが登録されていることから、登録されていない血圧計３−３の情報（機器ＩＤなど）を機器管理テーブル１０３に追加する。機器管理テーブル１０３には、利用者として“利用者Ａ”、歩数計ＩＤとして“００１”、体重計ＩＤとして“００５”及び血圧計ＩＤとして“００７”が登録される。サーバ１は、この登録結果を中継器２に送信する（ステップＳ２ｊ）。  
なお、実施例２のように歩数、体重が登録されているケースにおいては、中継ＡＰ２００が新しい機器を検知した後のシーケンスにおいて、歩数を体重と読み替えて実施してもよい。
【００２５】
以上述べたように、本実施形態では、新たに購入した体重計の情報をサーバに登録する際に、既にサーバに登録済みの歩数計の情報を利用して、利用者の登録意思を確認し、体重計の情報をサーバに登録を行う。これにより、利用者が購入してきた計測機器を利用し健康情報管理サービスを受ける際に簡単にその機器の登録を行えるようになる。例えば、今まで歩数計を利用してサービスを受けていたが、新たに体重計を購入した場合には、自動で体重計が利用機器として登録され、体重のグラフをみる等のサービスを受けることが可能となる。
【００２６】
したがって、本実施形態によれば、利用者が自由に機器を購入し、簡単に機器登録ができることで利用促進につながり、利用者の健康増進意欲の向上やその結果としての健康増進効果も期待できる。また、本実施形態を利用することでこれまで登録の煩雑さから利用を遠ざけていた利用者にも利用の機会が広がるため、ＰＨＲサービス提供者にとっては利用者拡大の効果が期待される。また、本実施形態の手法は、既存システムに特別な装置等を付加することなく、中継器上のアプリケーションとサーバ上のアプリケーションの処理を工夫することで簡易に実現可能である。
【００２７】
なお、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００２８】
１…サーバ、２…データ中継器、３…計測機器、２００…中継アプリケーション、２０１…データ要求部、２０２…データ中継部、２０３…ペアリング管理テーブル、１００…登録アプリケーション、１０１…ユーザ特定部、１０２…データ登録部、１０３…機器管理テーブル。
【図１】
2014215709.tif 000003
【図２】
2014215709.tif 000004
【図３】
2014215709.tif 000005